(57)【要約】【課題】装置の組立作業性を低下することなく、チョーク部からドア内部へ、異物や蒸気が侵入することを防止すること。【解決手段】チョーク部２７に対向するチョークカバー２８の先端には、リップル３２を形成し、このリップル３２は、チョーク部２７とチョークカバー２８との間をシールしたものである。【選択図】図１
2011174669.tif 000002
【特許請求の範囲】
【請求項１】
装置本体内に設け被加熱物を収納する加熱室と、前記加熱室に高周波電波を供給する高周波発生装置と、前記加熱室前面に形成し被加熱物を出し入れする加熱室開口部と、前記加熱室開口部を開閉自在に覆うドアと、前記ドアの周縁部に設けたチョーク部と、前記チョーク部と前記加熱室開口部の周壁部との間の位置の前記ドアに設けた樹脂製のチョークカバーと、を備え、
前記チョーク部に対向する前記チョークカバーの先端にはリップルを形成し、前記リップルは、前記チョーク部と前記チョークカバーとの間をシールしている高周波加熱調理装置。
【請求項２】
リップルは、先端部がドア内部側に湾曲して付勢されいる請求項１記載の高周波加熱調理装置。
【請求項３】
リップルは、先端部がドア外部側に湾曲して付勢されている請求項１記載の高周波加熱調理装置。
【発明の詳細な説明】
【技術分野】
【０００１】
本発明は、電子レンジ等の高周波加熱調理装置に関するものである。
【背景技術】
【０００２】
従来、この種の高周波加熱調理装置は、図３に示すように、電子レンジ本体１の前面にドア７が取り付けられており、このドア７は、外周部がドア表面樹脂カバー５で覆われており、中央部は、加熱室１０内部を透視するために透明ガラス９を取り付けた形状になっている。また、ドア表面樹脂カバー５の内側には、全周を折り曲げ加工により形成されるチョーク部１３を設けた一部パンチング金属板２が取り付けられている。また、チョーク部１１を覆うように、チョークカバー６が取り付けられている。
【０００３】
この金属板２とチョークカバー６との間に、成型されたゴムパッキン４が周囲に取り付けられており、この成型されたゴムパッキン４が、ドア７と加熱室前面３とを密着させて、加熱室１０を使用して調理を行う際に発生する煙や蒸気等が、装置外やドア７の内部空間へ、漏洩・侵入するのを防止している（例えば、特許文献１参照）。
【０００４】
また、図４に示すように、チョーク溝２０の入口２２に、中空筒状部２５の適所にチョークカバー２１の周縁部２３が係入する係入溝２６を一体形成したパッキン２４を装着したものにおいて、このパッキン２４の裏板２７との対向面に複数のシール用リブ２８，２９を一体的に突設し、チョーク溝２０からドア内部へ、異物や蒸気が侵入することを防止するものも提案されている（例えば、特許文献２参照）。
【０００５】
もし、異物や蒸気がチョーク溝２０内へ浸入してしまうと、蒸気がドア前面のガラス面を曇らしたり、ガラスを通して異物が使用者に見えてしまうことにより、不衛生な印象を使用者に与えてしまう恐れがある。
【先行技術文献】
【特許文献】
【０００６】
【特許文献１】特開平８−１３７５６３号公報
【特許文献２】特開２０００−３０８５６号公報
【発明の概要】
【発明が解決しようとする課題】
【０００７】
しかしながら、前記従来の構成では、特許文献１に記載のチョーク部１１とチョークカバー６との間、また特許文献２に記載のチョークカバー２１と裏板２７との間を、それぞれシールするため、ゴムパッキン４やパッキン２４といった別部材が必要であり、構造が複雑になり部品点数が多くなるとか、このシール部材をドアに取付ける作業を必要とし作業性が低くなるとか、という課題を有していた。
【０００８】
本発明は、前記従来の課題を解決するもので、装置の組立作業性を低下することなく、チョーク部とチョークカバーとの間のシール性を確保できる高周波加熱調理装置を提供することを目的とする。
【課題を解決するための手段】
【０００９】
前記従来の課題を解決するために、本発明の高周波加熱調理装置は、装置本体内に設け被加熱物を収納する加熱室と、前記加熱室に高周波電波を供給する高周波発生装置と、前記加熱室前面に形成し被加熱物を出し入れする加熱室開口部と、前記加熱室開口部を開閉
自在に覆うドアと、前記ドアの周縁部に設けたチョーク部と、前記チョーク部と前記加熱室開口部の周壁部との間の位置の前記ドアに設けた樹脂製のチョークカバーと、を備え、前記チョーク部に対向する前記チョークカバーの先端にはリップルを形成し、前記リップルは、前記チョーク部と前記チョークカバーとの間をシールしたものである。
【００１０】
これによって、装置の組立作業性を低下することなく、チョーク部とチョークカバーとの間のシール性を確保できることとなる。
【発明の効果】
【００１１】
本発明の高周波加熱調理装置は、装置の組立作業性を低下することなく、チョーク部からドア内部へ、異物や蒸気が侵入することを防止することができる。
【図面の簡単な説明】
【００１２】
【図１】（ａ）本発明の実施の形態１における高周波加熱調理装置のドアの要部断面図（ｂ）図１（ａ）のＡ部拡大断面図
【図２】（ａ）本発明の実施の形態１における高周波加熱調理装置のドアの斜視図（ｂ）同ドアの分解斜視図
【図３】従来の高周波加熱調理装置のドアの要部断面図
【図４】他の従来の高周波加熱調理装置のドアの要部断面図
【発明を実施するための形態】
【００１３】
第１の発明は、装置本体内に設け被加熱物を収納する加熱室と、前記加熱室に高周波電波を供給する高周波発生装置と、前記加熱室前面に形成し被加熱物を出し入れする加熱室開口部と、前記加熱室開口部を開閉自在に覆うドアと、前記ドアの周縁部に設けたチョーク部と、前記チョーク部と前記加熱室開口部の周壁部との間の位置の前記ドアに設けた樹脂製のチョークカバーと、を備え、前記チョーク部に対向する前記チョークカバーの先端にはリップルを形成し、前記リップルは、前記チョーク部と前記チョークカバーとの間をシールとすることにより、部品点数を減少させ、かつ組立作業性を向上させながら、チョーク部からドア内部へ、異物や蒸気が侵入することを防止することができる。
【００１４】
第２の発明は、特に、第１の発明のリップルの先端部をドア内部側に湾曲して付勢することにより、リップルとチョーク部とが面接触することとなり、シール性が向上させることができる。
【００１５】
第３の発明は、特に、第１の発明のリップルの先端部をドア外部側、すなわち加熱室開口部側に湾曲して付勢することにより、リップルとチョーク部とが面接触してシール性を向上させるとともに、チョークカバーがドア側へ押圧されることになり、チョークカバーの浮き上がりを防止することができる。
【００１６】
以下、本発明の実施の形態について、図面を参照しながら説明する。なお、この実施の形態によって本発明が限定されるものではない。
【００１７】
（実施の形態１）
図１（ａ）は本発明の実施の形態１における高周波加熱調理装置のドアの要部断面図、図１（ｂ）は図１（ａ）のＡ部拡大断面図、図２（ａ）は本発明の実施の形態１における高周波加熱調理装置のドアの斜視図、図２（ｂ）は同ドアの分解斜視図である。
【００１８】
同図において、電子レンジ２１（高周波加熱調理装置）の装置本体２２内には、食品を加熱時に載置するための加熱室２３が設けられている。この加熱室２３の前面には、開口部２４が形成されている。この開口部２４には、ドア２５が、前後方向に回動可能に、下
辺を軸支されている。
【００１９】
このドア２５には、開口部２４に面して、一部パンチングされた金属板２６が設けられ、ドア２５の骨格を構成している。この金属板２６周縁部の背面側、すなわち装置本体２２側の全周にわたって、チョーク部２７とチョークカバー２８が、略ロ字状に取り付けられている。チョーク部２７は、所定の間隔で爪を立てたような断面が概略筒状であり、金属板２６を加工して形成している。そして、チョーク部２７の開放端と金属板２６とは、間隔をおいて対向し、この間隙を開口（加熱室２３の開口部２４周縁に面している）として、チョーク部２７は、全体として概略ロ字状の溝を形成している。また、チョークカバー２８は、ポリプロピレン樹脂製であり、前述のチョーク部２７の溝を覆い隠している。
【００２０】
２９は、ドア表面樹脂カバーであり、金属板２６の前面周囲を一様に覆っている。金属板２６の加熱室２３側中心部には、透明ガラス３０が、取り付けられている。この透明ガラス３０、金属板２６のパンチング孔を通して、加熱室２３内を覗くことができるようになっている。また、ドア表面樹脂カバー２９の上辺の幅方向にわたって、とっ手３１が設けられている。
【００２１】
そして、チョークカバー２８は平面視略ロ字状であり、その中央側の端部には全周にわたって、リップル３２が一体に弾性をもって形成されている。このリップル３２は、金属板２６（特に、チョーク部２７）とチョークカバー２８との隙間をシールする構成になっている。
【００２２】
以上のように構成された高周波加熱調理装置について、以下その動作、作用を説明する。
【００２３】
電子レンジ２１により食品の調理を行なう場合、加熱室２３内に収容された食品は、高周波もしくはヒータ熱によって加熱される。この時、煙や蒸気等が食品から発生し、金属板２６とチョークカバー２８との隙間から、電子レンジ２１外へ漏洩しようとするが、チョークカバー２８の一端部に形成されたリップル３２の先端が、金属板２６に密着しているので、漏洩が防止されるのである。
【００２４】
なお、リップル３２の先端部をドア２５内部側に湾曲させるよう、付勢、寸法設定あるいは配置設定することにより、リップル３２とチョーク部２７とが面接触することとなり、シール性が向上させることができる。
【００２５】
また、リップル３２の先端部をドア２５外部側、すなわち加熱室開口部２４側に湾曲して付勢、寸法設定あるいは配置設定することにより、リップル３２とチョーク部２７とが面接触してシール性を向上させるとともに、チョークカバー２８がドア２５側へ押圧されることになり、チョークカバー２８の浮き上がりを防止し、美観を損なわずチョークカバー２８の取り付け信頼性を向上することができる。
【産業上の利用可能性】
【００２６】
以上のように、本発明にかかる高周波加熱調理装置は、チョークカバーとチョーク部とによりこれらの間のシールが可能となるので、調理装置以外の工業用高周波加熱装置にも適用できる。
【符号の説明】
【００２７】
２１  電子レンジ（高周波加熱調理装置）
２３  加熱室
２５  ドア
２６  金属板
２７  チョーク部
２８  チョークカバー
３２  リップル
【図１】
2011174669.tif 000003
【図２】
2011174669.tif 000004
【図３】
2011174669.tif 000005
【図４】
2011174669.tif 000006